(57)【要約】【課題】  浴室の天井部分に設置される装置の水平レベルを的確に把握できて、タンク内の湯水の水位を適正に維持し得る蒸気発生装置を提供する。【解決手段】  湯水を放散させることにより蒸気を発生させ得る熱交換器と、放散された湯水を回収するタンクとを本体ケース内に備え、該本体ケースが浴室の天井部分に設置される蒸気発生装置であって、本体ケースに、タンクの水平レベルを示す水準器や下げ振り等のレベル表示手段を、グリル板を取り外した際に浴室内から視認されるように設けたことを特徴とする。【選択図】  図３
2006212232.tif 000002
【特許請求の範囲】
【請求項１】
湯水を放散させることにより蒸気を発生させ得る熱交換器と、放散された湯水を回収するタンクとを本体ケース内に備え、該本体ケースが浴室の天井部分に設置される蒸気発生装置であって、
前記本体ケースに、タンクの水平レベルを示すレベル表示手段を設けたことを特徴とする蒸気発生装置。
【請求項２】
前記レベル表示手段は、本体ケースの下面開口部に装着されるグリル板を取り外した際に、浴室内から視認されるように設けられていることを特徴とする請求項１に記載の蒸気発生装置。
【請求項３】
前記レベル表示手段は、タンクの底面に設けた気泡を有する水準器で構成され、該水準器が浴室内から視認可能に設けられていることを特徴とする請求項１または２に記載の蒸気発生装置。
【請求項４】
前記レベル表示手段は、本体ケースに設けた糸及び錘を有する下げ振りで構成され、該下げ振りの錘が浴室内から視認可能に設けられていることを特徴とする請求項１または２に記載の蒸気発生装置。
【請求項５】
加熱手段を有して温風を発生させ得る第２の熱交換器を備え、前記本体ケース内に該第２の熱交換器が略水平状態で前記熱交換器が傾斜状態で配置されていることを特徴とする請求項１ないし４のいずれかに記載の蒸気発生装置。
【発明の詳細な説明】
【技術分野】
【０００１】
本発明は、例えばシステムバスルーム等の浴室の天井部分に設置されて浴室内に蒸気を発生させる蒸気発生装置に関する。
【背景技術】
【０００２】
従来、浴室の天井に設置される蒸気発生装置としては、例えば特許文献１に開示されている。この特許文献１に開示のミスト装置（蒸気発生装置）は、横長の装置本体部内に熱交換器を斜めの状態で配置し、この熱交換器の一次側に吸込口を設けると共に二次側に循環ファンを設け、熱交換器で高温とされた温風を循環ファンの作動により浴室内に噴出させると共に、装置本体部の開口を閉塞するグリルの吸込口の近傍外側に、温水供給管と複数の噴射ノズルとで構成したミスト噴出手段を配置し、このミスト噴出手段から浴室内にミスト（蒸気）を直接噴出させるようにしたものである。そして、このように構成されたミスト装置の装置本体部を、吊り下げボルトにより天井上方の建築躯体に吊り下げ支持させることにより、ミスト装置が天井裏に設置されるようになっている。
【特許文献１】特開２００２−３３６３２７号公報
【発明の開示】
【発明が解決しようとする課題】
【０００３】
しかしながら、このような蒸気発生装置においては、装置本体部内に配置された熱交換器が蒸気を発生させるものではないことから、給湯機から温水供給管に供給される温水をミストとして噴出ノズルから噴出するミスト噴出手段を、本体ケースの開口端部に浴室内に突出する状態で設ける必要があり、十分な量の蒸気を浴室内に短時間に発生させることが困難で蒸気の発生効率の面で劣ると共に、ミスト噴出装置が浴室内に露出して浴室の意匠面でも好ましくないという不都合を有している。
【０００４】
そこで、このような不都合を解消するために、当出願人は、本体ケース内に、加熱手段を備えて湯水が放散される第１の熱交換器と、加熱手段を備えた第２の熱交換器と、作動により吸気口と吹出口との間に通風経路を形成し得る送風手段と、第１の交換器上に放散された湯水をタンクに回収してこれを循環ポンプにより汲み上げて第１の熱交換器に再び放散させる湯循環手段等を備えた蒸気発生装置を提案した。ところが、このように熱交換器に湯水を放散させて蒸気を発生させる蒸気発生装置の場合、本体ケース内に湯水を回収するためのタンクが配置されると共に本体ケースが浴室の天井に設置されることから、タンク内の湯水を適正な水位に維持するためには、タンクをできるだけ水平状態にして天井部分に設置することが好ましいが、このタンクが内蔵された本体ケース（蒸気発生装置）の水平レベルの確認は、作業者の勘等に頼らざるを得ないのが実情である。
【０００５】
本発明は、このような事情に鑑みてなされたもので、その目的は、浴室の天井部分に設置される装置の水平レベルを的確に把握できて、タンク内の湯水の水位を適正に維持し得る蒸気発生装置を提供することにある。
【課題を解決するための手段】
【０００６】
かかる目的を達成すべく、本発明のうち請求項１に記載の発明は、湯水を放散させることにより蒸気を発生させ得る熱交換器と、放散された湯水を回収するタンクとを本体ケース内に備え、該本体ケースが浴室の天井部分に設置される蒸気発生装置であって、前記本体ケースに、タンクの水平レベルを示すレベル表示手段を設けたことを特徴とする。
【０００７】
そして、前記レベル表示手段は、請求項２に記載の発明のように、本体ケースの下面開口部に装着されるグリル板を取り外した際に、浴室内から視認されるように設けられていることが好ましい。また、前記レベル表示手段は、請求項３に記載の発明のように、タンクの底面に設けた気泡を有する水準器で構成され、該水準器が浴室内から視認可能に設けられていたり、請求項４に記載の発明のように、本体ケースに設けた糸及び錘を有する下げ振りで構成され、該下げ振りの錘が浴室内から視認可能に設けられていることが好ましい。
【０００８】
さらに、請求項５に記載の発明のように、加熱手段を有して温風を発生させ得る第２の熱交換器を備え、前記本体ケース内に該第２の熱交換器が略水平状態で前記熱交換器が傾斜状態で配置されていることが好ましい。
【発明の効果】
【０００９】
本発明の請求項１に記載の発明によれば、本体ケースに、熱交換器に放散された湯水を回収するタンクの水平レベルを示すレベル表示手段が設けられているため、本体ケースを浴室の天井部分に設置する際に、レベル表示手段の表示によりタンクの水平レベルを的確に把握できて、例えばタンク内の湯水を予め設定した水位以下に抑えることができたり、水位センサによる水位の誤検知等を防止することができる。
【００１０】
また、請求項２に記載の発明によれば、請求項１に記載の発明の効果に加え、レベル表示手段が、本体ケースの下面開口部に装着されるグリル板を取り外した際に、浴室内から視認されるように設けられているため、グリル板を取り外すことで浴室内から本体ケースの水平レベルを簡単に把握できて、本体ケースの設置作業等を容易に行うことができると共に、グリル板を装着した状態ではレベル表示手段が浴室内から視認されず、浴室内部のデザイン性の低下を防止することができる。
【００１１】
また、請求項３に記載の発明によれば、請求項１または２に記載の発明の効果に加え、レベル表示手段が、タンクの底面に設けた気泡を有する水準器で構成され、この水準器が本体ケースに浴室内から視認可能に設けられているため、水準器の気泡を所定位置に合わせることで浴室内からタンクの水平レベルを簡単に把握できて、本体ケースの設置作業を容易に行うことができる。
【００１２】
また、請求項４に記載の発明によれば、請求項１または２に記載の発明の効果に加え、レベル表示手段が、本体ケースに設けた糸及び錘を有する下げ振りで構成され、その下げ振りの錘が本体ケースに浴室内から視認可能に設けられているため、下げ振りの錘を所定位置に合わせることで浴室内からタンクの水平レベルを簡単に把握できて、本体ケースの設置作業を容易に行うことができる。
【００１３】
さらに、請求項５に記載の発明によれば、請求項１ないし４に記載の発明の効果に加え、本体ケース内に、温風を発生させる第２の熱交換器が略水平状態で配置され、蒸気を発生させる熱交換器が傾斜状態で配置されるため、両熱交換器により蒸気と温風の発生を効率的に行うことができると共に、装置の外形形状を傾斜状態の熱交換器の高さ寸法に略対応させて薄型に形成できて、本体ケースを浴室の天井部分にコンパクトに設置することができる。
【発明を実施するための最良の形態】
【００１４】
以下、本発明の実施の形態を図面に基づいて詳細に説明する。
図１〜図５は、本発明に係わる蒸気発生装置の一実施形態を示し、図１がその斜視図、図２が浴室への設置状態を示す概略斜視図、図３が基本構造を示す側面構成図、図４がその概略底面図、図５がタンクの縦断面図である。
【００１５】
図１に示すように、蒸気発生装置１は、外形形状が扁平薄型の本体ケース２を有し、この本体ケース２の下面開口部２ａ（図３参照）には、吸気口３ａと吹出口３ｂが設けられたグリル板３が着脱可能に装着されている。また、本体ケース２の側面には、内部に配置された後述する換気ファン１７の吹出口に接続された換気ダクト４が配設されると共に、吹出口３ｂの近傍の本体ケース２には、図示しない無線リモコンからの信号を受信して蒸気発生装置１を作動等させるための受信表示器５が配設されている。なお、グリル板３の吹出口３ｂには、一枚（もしくは複数枚）のルーバー６が開閉可能に配設されている。
【００１６】
そして、この蒸気発生装置１は、図１及び図２に示すようにして浴室７の天井部分に設置される。すなわち、図１の二点鎖線で示すように、本体ケース２を、浴室７上方の建築躯体８に複数本の吊りボルト９により吊り下げ設置し、本体ケース２に装着されたグリル板３の吸気口３ａと吹出口３ｂを浴室７内に開口させる。この状態で、図２に示すように、蒸気発生装置１の給湯往き配管１０ａと給湯戻り配管１０ｂ及び給水配管１１を、浴室７の天井パネル７ａの上面（天井裏）に配置すると共に、排水配管１２を天井パネル７ａ上から浴室７の所定の壁パネル７ｂの外面を通してバスタブエプロン内等の防水パン上に配置する。
【００１７】
また、蒸気発生装置１から引き出される電源用やリモコン用あるいはいわゆるインテリジェント通信用等の前記各種ケーブル１３を、天井パネル７ａの上面側に配線し、さらに、前記換気ダクト４を天井パネル７ａの上面側に配置する。これにより、蒸気発生装置１が、浴室７の天井パネル７ａに設置され、図２の矢印イの如く吸引口３ａから本体ケース２内に吸引された空気が、蒸気発生装置１により後述する如く乾いた温風や湿った温風となって、矢印ロの如く浴室７内に吹き出されて、浴室７内が所定状態で暖房されることになる。
【００１８】
このように浴室７に設置される蒸気発生装置１は、例えば図３〜図５に示すように構成されている。すなわち、図３に示すように、本体ケース２内に、多数枚のフィン１４ａが加熱手段としての温水供給管１４ｂで連結された傾斜状態の第１の熱交換器１４と、多数枚のフィン１５ａが加熱手段としての温水供給管１５ｂで連結された水平状態の第２の熱交換器１５とが配置されると共に、グリル板３の吸引口３ａと吹出口３ｂとの間に通風経路Ｒ１を形成する送風ファン１６と、換気通路Ｒ２を形成する前記換気ファン１７等が配置されている。
【００１９】
また、本体ケース２内には、傾斜状態の前記第１の熱交換器１４のフィン１４ａ上部に水や湯（湯水という）を放散(吐出や噴出、噴射、吹付け、噴霧等も含む）させる湯噴出管１８が配置されると共に、この熱交換器１４に放散された湯水を回収して再び湯噴出管１８に供給する湯循環手段１９が配置されている。この湯循環手段１９は、熱交換器１４の下部に配置されて放散された湯水を回収するバッファ用のタンク２０と、このタンク２０と湯噴出管１８との間に接続された循環ポンプ２１等を有している。
【００２０】
そして、前記タンク２０は、図４に示すように、底面視で略Ｌ字形状に形成され、その所定位置の底壁（底面）２０ａには、レベル表示手段としての水準器２２が配置されている。この水準器２２は、図５に示すように、そのケースの少なくとも下面側に透明板２２ａを有して内部に水２２ｂと気泡２２ｃを収容することにより形成され、ケースがタンク２０の底壁２０ａに設けた凹部２０ｂに嵌合固着されることによって、タンク２０に一体的に取り付けられている。この水準器２２の気泡２２ｃが円形形状の透明板２０ａの中心に位置することで、タンク２０の水平レベルが把握されるように構成されており、この時、透明板２０ａの中心部分に付与された円形の目盛り（図示せず）により水平レベルの確認が的確に行えるようになっている。なお、タンク２０内には、湯水の水位を検出する水位センサ２３（図３参照）や水温を検出する温度センサ（図示せず）等が配置されている。
【００２１】
前記送風ファン１６は、例えばクロスフローファン、シロッコファン、ターボファン等によって形成され、その送風ファンモータが図示しない制御基板の制御信号により回転して前記通風経路Ｒ１を形成し、また、前記換気ファン１７は、例えばシロッコファンで形成され、その換気ファンモータが制御基板の制御信号により回転して前記換気通路Ｒ２を形成するようになっている。
【００２２】
このように構成された蒸気発生装置１は、そのタンク２０の水平レベル出し作業が次のように行われて浴室７に設置される。すなわち、グリル板３を本体ケース２から取り外した状態で、ケース本体２を天井パネル７ａに設けた取付孔部分に位置させ、例えば４本の前記吊りボルト９で建築躯体８に取り付ける。この取り付けは、浴室７内からタンク２０の底壁２０ａに設けた水準器２２の気泡２２ｃの位置を目視しながら、４本の吊りボルト９に対するナット９ａ（図１参照）の締め付け位置を上下に調整しつつ行い、気泡２２ｃが透明板２２ａに設けた基準目盛り内に位置した状態で各ナット９ａを固定する。
【００２３】
これにより、本体ケース２（タンク２０の底壁２０ａ）が水平状態で天井パネル７ａに設置され、この本体ケース２に前述した各配管を取り付けると共に電気配線等を行い、その後、本体ケース２の下面開口部２ａにグリル板３を装着することにより、蒸気発生装置１が天井パネル７ａに水平状態で設置されることになる。そして、この蒸気発生装置１の設置時に、タンク２０の底壁２０ａに浴室７内から視認される状態で水準器２２が配置されていることから、この水準器２２を作業者が浴室７内から目視しつつ行うことができて、タンク２０（すなわち本体ケース２）の水平レベル出しが簡単に行えることになる。
【００２４】
次に、前記蒸気発生装置１の動作の一例について説明する。この蒸気発生装置１は、例えば「ミスト暖房」「ドライ暖房」「乾燥」「換気」の４つの運転モードで運転可能に構成されている。これらの運転モードのうち、先ず、「ミスト暖房」運転モードが選択された場合には、給水配管１１からタンク２０内に水を供給し、循環ポンプ２１の作動によりタンク２０内の湯水を湯循環手段１９で循環させると共に、給湯往き配管１０ａと給湯戻り配管１０ｂにより第１の熱交換器１４と第２の熱交換器１５の温水供給管１４ｂ、１５ｂに図示しない給湯機から所定温度（例えば８０℃以上）の温水をそれぞれ供給する。
【００２５】
この各熱交換器１４、１５の各温水供給管１４ｂ、１５ｂへの温水の循環供給により、各熱交換器１４ａ、１５のフィン１４ａ、１５ａが所定温度までそれぞれ加温され、送風ファンモータ１６により吸気口３ａから本体ケース２内に吸い込まれた空気が、第２の熱交換器１５で加温されて温風となり、この温風が第１の熱交換器１４のフィン１４ａ間に供給されて通風経路Ｒ１を流れることになる。
【００２６】
また、タンク２０内に供給され湯循環手段１９で循環される湯水は、第１の熱交換器１４のフィン１４ａ間を通過して流下することにより、第１の熱交換器１４で熱交換されて効率良く短時間に所定温度の湯水となり、この湯水が湯噴出管１８から第１の熱交換器１４のフィン１４ａ上に放散される。この湯水の放散により、第２の熱交換器１５から通風経路Ｒ１を介して第１の熱交換器１４のフィン１４ａ間に供給されている空気との間に圧力差が生じて放散される湯の一部が蒸気となり、この蒸気が通風経路Ｒ１を流れて吹出口３ｂから浴室７内に吹き出されて、浴室７内に蒸気で暖房された「ミスト暖房」状態が得られることになる。
【００２７】
また、前記「ドライ暖房」運転モードが選択された場合は、給湯往き配管１０ａと給湯戻り配管１０ｂを介して第１の熱交換器１４と第２の熱交換器１５の温水供給管１４ｂ、１５ｂに温水をそれぞれ循環供給することにより行われる。この温水供給管１４ｂ、１５ｂへの温水の供給により、両熱交換器１４、１５のフィン１４ａ、１５ａがそれぞれ加温されて通風経路Ｒ１を流れる空気が効率良く温風とされ、この温風が浴室７内に吹き出されることにより、浴室７内に乾いた温風で暖房される「ドライ暖房」状態が得られることになる。
【００２８】
さらに、前記「乾燥」運転モードが選択された場合には、前記ドライ暖房運転に加えて換気ファン１７が作動することにより、浴室７内を乾いた温風で暖房しつつ換気ファン１７により浴室７内の湿った空気を、換気ダクト４を介して浴室外に排出することによって行われる。また、「換気」運転モードが選択された場合には、換気ファン１７のみが作動して、本体ケース２の例えば吸気口３ａから吸い込まれた浴室７内の空気が、換気通路Ｒ２を流れて換気ダクト４から浴室７外に排出されることによって行われる。
【００２９】
このように、上記実施形態の蒸気発生装置１にあっては、本体ケース２の内部に第１の熱交換器１４と第２の熱交換器１５及び湯循環手段１９等が配置され、第１の熱交換器１４に放散された湯水を回収する湯循環手段１９のタンク２０に、該タンク２０の水平レベルを示す水準器２２が配置されているため、本体ケース２を浴室７の天井パネル７ａに設置する際に、水準器２２の気泡２２ａの表示（位置）によりタンク２０の水平レベルを的確に把握しつつ行うことができる。
【００３０】
これにより、タンク２０を水平状態で天井パネル７ａ上に設置することができ、その結果、例えばタンク２０内の湯水を予め設定した水位以下に抑えることができて、タンク２０からの湯水の溢れが防止されたり、水位センサ２３によるタンク２０内の水位の誤検知（タンク２０の傾斜による水位の誤検知）等を確実に防止することができる。特に、上記形態の蒸気発生装置１の場合は、天井裏への設置という設置上の制約から、ケース本体２の高さを低くする必要があり、これに追従してタンク２０の高さも低くなって、湯水の溢れやタンク２０内の使用可能容量の低下が生じ易くなるが、タンク２０の水平レベルを維持した設置により、このような不都合を確実に抑制できることになる。
【００３１】
また、レベル表示手段として、タンク２０の底壁２０ａに設けた気泡２２ｃを有する安価な水準器２２が使用され、この水準器２２がタンク２０底面に浴室７内から視認可能に配置されているため、水準器２２の気泡２２ｃを所定の基準位置に合わせることで浴室７内からタンク２０の水平レベルを簡単に把握できて、本体ケース２の設置作業を容易に行うことができる。特に、水準器２２が、本体ケース２の下面開口部２ａに装着されるグリル板３を取り外した際に、浴室７内から視認されるように配置されていることから、グリル板３を取り外すことで浴室７内から本体ケース２の水平レベルを簡単に把握できて、本体ケース２の設置作業等を一層簡単に行うことができると共に、グリル板３を装着した状態では水準器２２が浴室７内から視認されず、浴室７内部のデザイン性の低下を防止すること等ができる。
【００３２】
さらに、上記実施形態の蒸気発生装置１においては、本体ケース２内に蒸気発生用の第１の熱交換器１４と温風発生用の第２の熱交換器１５を配置し、第２の熱交換器１５で熱交換された温風を第１の熱交換器１４に供給するように設定されているため、第１の熱交換器１４による蒸気発生時に、第２の熱交換器１５で熱交換された温風を利用して第１の熱交換器１４を加熱することができて、両熱交換器１４、１５により温風を短時間に発生させることができたり、第１の熱交換器１４による蒸気発生を促進させることができて、蒸気発生装置１における蒸気や温風の発生効率を十分に高めることが可能となる。
【００３３】
また同時に、本体ケース２内に第１の熱交換器１４と第２の熱交換器１５が分割状態で効果的に配置されているため、放散された湯水が流下する第１の熱交換器１４の高さ寸法を小さくして、蒸気発生装置１の外形形状を小型に形成することができると共に、第１の熱交換器１４に放散された湯水が湯循環手段１９により循環使用されるため、蒸気発生に使用した湯水を再利用できて、水（湯）の有効利用が図れて省エネ効果を高めることができる。これらにより、蒸気発生装置１をシステムバスルーム等の浴室７の天井パネル７ａ上に大きなスペースを必要とすることなく、簡単かつコンパクトに設置することができる等、システムバスルームの蒸気発生装置１として好適に使用することが可能となる。
【００３４】
図６は、本発明に係わる蒸気発生装置の他の実施形態を示している。以下、上記実施形態と同一部位には同一符号を付して説明する。この実施形態の蒸気発生装置１の特徴は、本体ケース２の上壁２ｂ内面の外周部にレベル表示手段としての下げ振り２４を配置した点にある。この下げ振り２４は、糸２４ａとこの糸２４ａの下端に固定された円錐形状の錘２４ｂとで構成され、糸２４ａの上端が上壁２ａ内面に設けたフック２５等に係止されている。また、本体ケース２の下面開口部２ａの外周部で錘２４ｂの下方には、中央に目盛り（図示せず）が付与された透明板２６（図６及び図４参照）が固定されており、この透明板２６はグリル板３を本体ケース２から取り外した際に浴室７内から視認されるようになっている。
【００３５】
この実施形態の蒸気発生装置１においても、レベル表示手段しての安価な下げ振り２４の使用により、本体ケース２の水平レベルを浴室７内から目視で把握しつつ、本体ケース内に水平状態で予め配置されたタンク２０の水平レベル出しが簡単に行え、上記実施形態の水準器２２と同様の作用効果を得ることができる。この実施形態の場合は、本体ケース２の形状や内部に配置される各部材の位置等により、図３の二点鎖線で示すように、本体ケース２の側壁２ｃに支持棹２７を突出して設け、この支持棹２７の先端にフック２５を介して下げ振り２４の糸２４ａの上端を係止させる構成とすることもできる。
【００３６】
なお、上記各実施形態においては、蒸気発生装置１を天井パネル７ａに設置したが、本発明はこれに限定されず、例えば壁パネル７ｂの上端部と天井パネル７ａのコーナ部等の天井部分に配置することもできる。また、上記実施形態における各熱交換器１４、１５の配置形態、熱交換器１４、１５自体の形態、蒸気発生装置１の運転モード形態、水平レベル表示手段の配置個数等も一例であって、例えば水準器２２と下げ振り２４を共に配置する等、本発明に係わる各発明の要旨を逸脱しない範囲において適宜の構成を採用することができる。
【産業上の利用可能性】
【００３７】
本発明は、システムバスルーム等の浴室に限らず、例えばサウナルームやシャワールーム等の蒸気発生装置にも適用できる。
【図面の簡単な説明】
【００３８】
【図１】本発明に係わる蒸気発生装置の一実施形態を示す斜視図
【図２】同その浴室への設置状態を示す概略斜視図
【図３】同具体的構造を示す側面構成図
【図４】同その底面図
【図５】同タンクの縦断面図
【図６】本発明に係わる蒸気発生装置の他の実施形態を示す概略側面構成図
【符号の説明】
【００３９】
１・・・蒸気発生装置、２・・・本体ケース、２ａ・・・下面開口部、２ａ・・・上壁、２ｃ・・・側壁、３・・・グリル板、３ａ・・・吸気口、３ｂ・・・吹出口、７・・・浴室、７ａ・・・天井パネル、７ｂ・・・壁パネル、８・・・建築躯体、９・・・吊りボルト、１４・・・第１の熱交換器、１５・・・第２の熱交換器、１６・・・送風ファン、１７・・・換気ファン、１８・・・湯噴出管、１９・・・湯循環手段、２０・・・タンク、２０ａ・・・底壁、２０ｂ・・・凹部、２１・・・循環ポンプ、２２・・・水準器、２２ａ・・・透明板、２２ｂ・・・水、２２ｃ・・・気泡、２３・・・水位センサ、２４・・・下げ振り、２４ａ・・・糸、２４ｂ・・・錘、２６・・・透明板。
【図１】
2006212232.tif 000003
【図２】
2006212232.tif 000004
【図３】
2006212232.tif 000005
【図４】
2006212232.tif 000006
【図５】
2006212232.tif 000007
【図６】
2006212232.tif 000008